(57)【要約】【課題】雨滴が衝突する雨滴衝突対象面の上方に複数枚のメッシュを設けることによって、雨滴が雨滴対象面に衝突した際に雨滴衝突対象面に付与される加振力を小さくできるようにして、雨滴が雨滴対象面に衝突した際の雨滴衝突音を小さくできるとともに、メッシュ開口に水膜が生じ難いようにできて、水膜が壊れて雨滴となって雨滴衝突対象面に衝突して雨滴衝突音が発生してしまうことを抑制できるようにした雨滴衝突音抑制方法を提供する。【解決手段】本発明に係る雨滴衝突音抑制方法は、雨滴が衝突する雨滴衝突対象面の上方にメッシュ群を設け、メッシュ群を、メッシュ面が互いに対向するように互いに所定間隔を隔てて配置された複数枚のメッシュにより構成し、滴衝突対象面に最も近い最下位置に設置されるメッシュのメッシュ面と雨滴衝突対象面とを所定間隔に維持した。【選択図】図１
2018162637.tif 000002
【特許請求の範囲】
【請求項１】
雨滴が衝突する雨滴衝突対象面の上方にメッシュ群を設け、
メッシュ群を、メッシュ面が互いに対向するように互いに所定間隔を隔てて配置された複数枚のメッシュにより構成し、
雨滴衝突対象面に最も近い最下位置に設置されるメッシュのメッシュ面と雨滴衝突対象面とを所定間隔に維持したことを特徴とする雨滴衝突音抑制方法。
【請求項２】
各メッシュは、目開き寸法が５ｍｍ以上１０ｍｍ以下であることを特徴とする請求項１に記載の雨滴衝突音抑制方法。
【請求項３】
複数枚のメッシュは、それぞれ目開き寸法が異なることを特徴とする請求項１又は請求項２に記載の雨滴衝突音抑制方法。
【請求項４】
雨滴衝突対象面は、屋根、又は、建物の外壁より突出するように設けられたベントキャップであることを特徴とする請求項１乃至請求項３のいずれか一項に記載の雨滴衝突音抑制方法。
【発明の詳細な説明】
【技術分野】
【０００１】
本発明は、雨滴が衝突する雨滴衝突対象面に対する雨滴衝突音を小さくする雨滴衝突音抑制方法に関する。
【背景技術】
【０００２】
従来、雨滴が衝突する雨滴衝突対象面としての屋根の上面側に、所定幅の空間を設けた状態でメッシュを設けるようにした雨滴衝突音抑制方法が知られている（例えば、特許文献１参照）。
当該雨滴衝突音抑制方法によれば、雨滴がメッシュの線に衝突することで、雨滴が減速するとともに雨滴が小さくなり、メッシュを通過した雨滴が屋根に衝突した場合に屋根に付与される加振力が小さくなるので、雨滴が屋根に衝突した際の雨滴衝突音を小さくできる。
【先行技術文献】
【特許文献】
【０００３】
【特許文献１】特開２００４−１１６１８７号公報
【発明の概要】
【発明が解決しようとする課題】
【０００４】
しかしながら、雨滴の大きさは通常２〜５ｍｍ程度であるのに対して、特許文献１の雨滴衝突音抑制方法では、目開き寸法（メッシュ径）が５．０ｍｍ以下、特に好ましくは２．５ｍｍ以下のメッシュを用いるため、メッシュの線と線との間のすきま（以下、メッシュ開口という）に水膜が生じやすい。このように、メッシュ開口に水膜が生じた場合、その後当該水膜が壊れて雨滴となって屋根に衝突するため、当該雨滴が屋根に衝突することによる雨滴衝突音が発生してしまうという課題があった。
即ち、特許文献１では、あくまで、雨滴をメッシュの線に衝突させることで雨滴衝突音を小さくするために１枚のメッシュを用いており、当該特許文献１には、メッシュ開口に水膜が生じた場合にその後当該水膜が壊れて雨滴となって屋根に衝突してしまうという課題を解消するための技術的思想についての示唆は無い。
本願発明は、雨滴が衝突する雨滴衝突対象面の上方に複数枚のメッシュを設けることによって、雨滴が雨滴対象面に衝突した際に雨滴衝突対象面に付与される加振力を小さくできるようにして、雨滴が雨滴対象面に衝突した際の雨滴衝突音を小さくできるとともに、メッシュ開口に水膜が生じ難いようにできて、水膜が壊れて雨滴となって雨滴衝突対象面に衝突して雨滴衝突音が発生してしまうことを抑制できるようにした雨滴衝突音抑制方法を提供するものである。
【課題を解決するための手段】
【０００５】
本発明に係る雨滴衝突音抑制方法は、雨滴が衝突する雨滴衝突対象面の上方にメッシュ群を設け、メッシュ群を、メッシュ面が互いに対向するように互いに所定間隔を隔てて配置された複数枚のメッシュにより構成し、雨滴衝突対象面に最も近い最下位置に設置されるメッシュのメッシュ面と雨滴衝突対象面とを所定間隔に維持したことを特徴とするので、雨滴がメッシュの線に衝突することで、雨滴が減速するとともに雨滴が小さくなって、雨滴が雨滴対象面に衝突した際に雨滴衝突対象面に付与される加振力が小さくなるので、雨滴が雨滴対象面に衝突した際の雨滴衝突音を小さくできるとともに、メッシュ開口に水膜が生じ難くなり、水膜が壊れて雨滴となって雨滴衝突対象面に衝突して雨滴衝突音が発生してしまうことを抑制できるようになる。
また、各メッシュは、目開き寸法が５ｍｍ以上１０ｍｍ以下のメッシュを用いたので、メッシュ開口に水膜が生じ難くなり、水膜が生じることによる雨滴衝突音の発生を抑制できるようになる。
また、複数枚のメッシュは、それぞれ目開き寸法が異なるメッシュを用いたので、メッシュの線に衝突する機会が増え、雨滴が減速するとともに雨滴が小さくなりやすくなる。従って、雨滴が雨滴対象面に衝突した際の雨滴衝突音を小さくできるとともに、メッシュ開口に水膜が生じ難くなるので、水膜が生じることによる雨滴衝突音の発生を抑制できるようになる。
また、雨滴衝突対象面は、屋根、又は、建物の外壁より突出するように設けられたベントキャップであるので、雨滴が屋根又はベントキャップに衝突した際の雨滴衝突音を小さくできるとともに、メッシュ開口に水膜が生じ難くなり、水膜が壊れて雨滴となって屋根又はベントキャップに衝突して雨滴衝突音が発生してしまうことを抑制できるようになる。
【図面の簡単な説明】
【０００６】
【図１】雨滴衝突音抑制方法を示した概略構成図。
【図２】メッシュ及びメッシュの目開き寸法の説明図。
【図３】各実験体を用いた実験において測定点１（筐体外部）で測定された１／３オクターブバンド中心周波数帯域での音圧レベルの数値データを示した図。
【図４】各実験体を用いた実験において測定点２（筐体内部）で測定された１／３オクターブバンド中心周波数帯域での音圧レベルの数値データを示した図。
【図５】各実験体を用いた実験において測定点１（筐体外部）で測定された１／３オクターブバンド中心周波数帯域での音圧レベルの数値データをグラフ化して示した図。
【図６】各実験体を用いた実験において測定点２（筐体外部）で測定された１／３オクターブバンド中心周波数帯域での音圧レベルの数値データをグラフ化して示した図。
【発明を実施するための形態】
【０００７】
図１に示すように、実施形態に係る雨滴衝突音抑制方法は、雨滴が衝突する雨滴衝突対象面１の上方にメッシュ群２Ｘを設け、当該メッシュ群２Ｘを、メッシュ面２ｆが互いに対向するように互いに所定間隔Ｈ１を隔てて配置された複数枚のメッシュ２，２Ａ，…により構成し、雨滴衝突対象面１に最も近い最下位置に設置されるメッシュ２のメッシュ面２ｆと雨滴衝突対象面１とを所定間隔Ｈに維持するようにした。
隣り合う各メッシュ２，２Ａは、メッシュ面２ｆ；２ｆが互いに平行に対向するように設けられることが好ましい。
各メッシュ２，２Ａ，…は、図２に示すように、線２１と線２１との間の最小間隔である目開き寸法ａが５ｍｍ以上１０ｍｍ以下のメッシュを用いる。
そして、複数枚のメッシュ２，２Ａ，…として、それぞれ目開き寸法ａが異なるメッシュを用いる。
【０００８】
そして、互いに隣り合うメッシュ２，２Ａのメッシュ面２ｆとメッシュ面２ｆとの間の所定間隔Ｈ１は、例えば５ｍｍ〜１０ｍｍとした。
また、雨滴衝突対象面１に最も近い最下位置に設置されるメッシュ２のメッシュ面２ｆと雨滴衝突対象面１と間の所定間隔Ｈは、例えば５ｍｍ〜１０ｍｍとした。
【０００９】
例えば、図１に示すように、雨滴衝突対象面１に最も近い最下位置に設置されるメッシュ２の上方に所定間隔Ｈ１を隔てて別のメッシュ２Ａを設け、これら２枚のメッシュ２，２Ａによりメッシュ群２Ｘを構成する。
この場合、例えば、後述する実験体のように、雨滴衝突対象面１に最も近い最下位置に設置されるメッシュ２として、目開き寸法ａが５ｍｍのメッシュを用い、かつ、メッシュ２Ａとして、目開き寸法ａが６ｍｍのメッシュを用いてメッシュ群２Ｘを構成する。
【００１０】
雨滴衝突対象面１は、例えば、金属製、樹脂製等の屋根の上面、又は、建物の外壁より突出するように設けられたベントキャップの上面である。
尚、ベントキャップとは、建物の外壁の給排気口に取付けられるカバーであり、例えば、金属、樹脂等により形成される。
また、雨滴衝突音とは、例えば、雨滴（雨）がメッシュ開口２Ｈ（図２参照）を通過して屋根の上面やベントキャップの上面や妻側住戸庇がない場所に設置される換気口の上面に衝突する際の衝突音、あるいは、上階のベントキャップから落ちた雨滴がメッシュ開口２Ｈを通過して下階のベントキャップの上面に衝突する際の衝突音、あるいは、上方の屋根から落ちた雨滴がメッシュ開口２Ｈを通過して下方の屋根に衝突する際の衝突音等である。
【００１１】
メッシュ２，２Ａ，…としては、金属、樹脂等により形成された製織メッシュ又はパンチングメタルメッシュのいずれを用いても構わない。例えば、当該メッシュ２,２Ａ，…として金網メッシュを用いれば、紫外線劣化が少ないので好ましい。
【００１２】
また、雨滴衝突対象面１に最も近い最下位置のメッシュ２は、例えば、適当な連結手段を用いて雨滴衝突対象面１と連結するようにして設置すればよい。また、最下位置のメッシュ２の上方に設けられる各メッシュ２Ａ，…は、適当な連結手段を用いて雨滴衝突対象面１又はメッシュ２と連結するようにして設置すればよい。
【００１３】
実施形態１によれば、雨滴が衝突する雨滴衝突対象面１の上方にメッシュ群２Ｘを設け、メッシュ群２Ｘを構成する各メッシュ２，２Ａ，…として、目開き寸法ａが５ｍｍ以上１０ｍｍ以下のメッシュを用いたので、各メッシュ２，２Ａ，…の線２１に雨滴が衝突することで、雨滴が減速するとともに雨滴が小さくなるため、各メッシュ２，２Ａ，…を通過した雨滴が雨滴衝突対象面１に衝突した場合に雨滴衝突対象面１に付与される加振力が小さくなるので、雨滴が雨滴衝突対象面１に衝突した際の雨滴衝突音を小さくできる。
さらに、実施形態１のように、雨滴が雨滴衝突対象面１に最も近い最下位置に設置されるメッシュ２の上方に設置されたメッシュ２Ａ，…の線２１に衝突することで、雨滴が小さくなるため、当該小さくなった雨滴が、最下位置に設置されるメッシュ２のメッシュ開口２Ｈを通過しやすくなる。即ち、各メッシュ２，２Ａ，…のメッシュ開口２Ｈ，２Ｈ，…に水膜が生じ難くなる。特に最下位置のメッシュ２のメッシュ開口２Ｈに水膜が生じ難くなるため、特許文献１のように、メッシュ開口に水膜が生じやすく、メッシュ開口に形成された水膜が壊れて雨滴となって雨滴衝突対象面１に衝突することにより、雨滴衝突音が発生してしまうということを抑制できるようになる。つまり、メッシュ開口２Ｈ，２Ｈ，…に水膜が生じることによる雨滴衝突音の発生を抑制できるようになる。
【００１４】
また、複数枚のメッシュ２，２Ａ,…として、それぞれ目開き寸法ａが異なるメッシュを用いたことによって、上方から見た場合、メッシュ２，２Ａ,…のメッシュ開口２Ｈ,２Ｈ,…がずれるようになる。このため、雨滴が、雨滴衝突対象面１に最も近い最下位置に設置されるメッシュ２のメッシュ開口２Ｈに到達するまでに、当該最下位置のメッシュ２の上方に設けられるメッシュ２Ａ,…の線２１に衝突する機会が増えるので、雨滴が減速するとともに雨滴が小さくなりやすくなる。従って、雨滴が雨滴衝突対象面１に衝突した際の雨滴衝突音を小さくできるとともに、各メッシュ２，２Ａ，…のメッシュ開口２Ｈ，２Ｈ，…に水膜が生じ難くなるので、水膜が生じることによる雨滴衝突音の発生を抑制できるようになる。特に最下位置のメッシュ２のメッシュ開口２Ｈに水膜が生じ難くなるので、この最下位置のメッシュ２のメッシュ開口２Ｈに水膜が生じることによる雨滴衝突音の発生を抑制できるようになる。
【００１５】
また、少なくとも、雨滴衝突対象面１に最も近い最下位置に設置されるメッシュ２として、目開き寸法ａが５ｍｍ以上１０ｍｍ以下のメッシュを用いたことによって、仮に、雨滴が当該メッシュ２の上方に設置されたメッシュ２Ａ,…のメッシュ開口２Ｈ,２Ｈ,…を通過してきたとしても、当該雨滴が最下位置のメッシュ２のメッシュ開口２Ｈを通過しやすくなるため、最下位置のメッシュ２のメッシュ開口２Ｈに水膜が生じ難くなるので、この最下位置のメッシュ２のメッシュ開口２Ｈに水膜が生じることによる雨滴衝突音の発生を抑制できるようになる。
【００１６】
尚、本発明に係る雨滴衝突音抑制方法の構成及び効果を検証するために、以下の実験を行った。
・実験方法
１辺が８０ｃｍの立方体形状の筐体を作製し、この筐体の壁面に筐体の内外に貫通する貫通孔を設け、この貫通孔を覆うように筐体の外壁面にベントキャップを設置することにより、ベントキャップの上面による雨滴衝突対象面１を形成した。
そして、この雨滴衝突対象面１としてのベントキャップの上面より１０ｍｍ上方に位置されるように試験体としての各種メッシュを設置した各実験体を作製し、各実験体のベントキャップの上面より上方３ｍの位置からスポイトを用いて当該ベントキャップの上面に水滴を１滴づつ複数回落下させて、当該水滴がベントキャップの上面に衝突した際の音圧レベルを測定した。尚、測定結果は、水滴を複数回落下させた毎に測定した複数回の測定値の平均値である。
即ち、共同住宅において、上階のベントキャップから落ちた雨滴が下階のベントキャップの上面に衝突した時の音圧レベルが、各メッシュの試験体の違いによってどのように変わるのかを実験した。
【００１７】
尚、各実験体において雨滴がベントキャップの上面に衝突した際の１／３オクターブバンド中心周波数での音圧レベルを、筐体外部においてベントキャップから前方に１ｍ離れた地点（測定点１）と、筐体内部（測定点２）とで測定した。
そして、測定点１で測定した各実験体での測定結果の数値を図３に示し、測定点２で測定した各実験体での測定結果の数値を図４に示し、測定点１で測定した測定結果の折れ線グラフを図５に示し、測定点２で測定した各実験体での測定結果の折れ線グラフを図６に示した。
【００１８】
また、実験では、株式会社ユニックス製のベントキャップＡ（ステンレス製・パイプフード（防音）ＳＳＦＷ１００−Ａ１０Ｍ）を用いた。
また、参考として、雨滴衝突対策が施された、株式会社メルコエアテック製のベントキャップＢ（薄形小風量タイプ・ワイド水切タイプ  ＡＴ−１００ＶＧＳ）を用いた実験も行った。尚、当該株式会社メルコエアテック製のベントキャップは、ベントキャップ本体の上面に防振ゴムを介して雨滴衝突面を設けた構成であり、ベントキャップの上面となる当該雨滴衝突面に雨滴が衝突した際の加振力が防振ゴムで減衰されてベントキャップ本体に伝達されることで、当該雨滴衝突面に雨滴が衝突した際の雨滴衝突音が小さくなるように構成されたものである。
【００１９】
また、図３乃至図６においては、上記実験方法により実験を行った各実験体を以下のように表記して各実験体での測定結果を図示した。
・株式会社ユニックス製のベントキャップＡのみのでメッシュを用いなかった実験体→「対策なし」
・株式会社メルコエアテック製のベントキャップＢのみでメッシュを用いなかった実験体→「対策品」
・ベントキャップＡに、目開き寸法ａが４ｍｍのメッシュを設けた実験体→「メッシュ４ｍｍ」
・ベントキャップＡに、目開き寸法ａが５ｍｍのメッシュを設けた実験体→「メッシュ５ｍｍ」
・ベントキャップＡに、目開き寸法ａが６ｍｍのメッシュを設けた実験体→「メッシュ６ｍｍ」
・ベントキャップＡに、第１のメッシュ２としての目開き寸法ａが５ｍｍのメッシュと第２のメッシュ２Ａとしての目開き寸法ａが６ｍｍのメッシュとを組み合わせたメッシュ構成体を設けた実験体→「メッシュ５ｍｍ＋メッシュ６ｍｍ」
【００２０】
図３乃至図６から明らかなように、「メッシュ５ｍｍ＋メッシュ６ｍｍ」の実験体、即ち、実施形態の構成による実験体での測定結果は、「対策なし」の実験体での測定結果と比べて、Ａ特性音圧レベル最大値が１５ｄＢ程度小さくなるという測定結果となった。
また、「メッシュ４ｍｍ」の実験体、「メッシュ５ｍｍ」の実験体、「メッシュ６ｍｍ」の実験体での測定結果を比較した場合、目開き寸法ａが小さいメッシュを用いた実験体の方が雨滴衝突音抑制効果が高いという測定結果となったが、「メッシュ４ｍｍ」の実験体での測定結果よりも、「メッシュ５ｍｍ＋メッシュ６ｍｍ」の実験体、即ち、実施形態の構成による実験体での測定結果の方が、Ａ特性音圧レベル最大値が小さくなるという測定結果となった。
即ち、「メッシュ４ｍｍ」の実験体、「メッシュ５ｍｍ」の実験体は、特許文献１の構成に該当するので、本願発明の構成の方が、特許文献１の構成よりも、雨滴衝突音抑制効果が高くなることが実証された。
【００２１】
尚、上述した実施形態では、一例として、雨滴衝突対象面１に最も近い最下位置に設置されるメッシュ２の上方に所定間隔Ｈ１を隔てて別のメッシュ２Ａを設け、これら２枚のメッシュ２，２Ａによりメッシュ群２Ｘを構成した例を、図１に図示したが、所定間隔を隔ててメッシュを３枚以上設置するようにしてもよい。このようにすれば、雨滴衝突音抑制効果がより向上することは自明である。
【００２２】
また、複数枚のメッシュは、それぞれ目開き寸法が同じものを使用して、上方から見た場合に、各メッシュのメッシュ開口がずれるように各メッシュを設置してもよい。
また、複数枚のメッシュは、それぞれ目開き寸法が同じものを使用して、上方から見た場合に、各メッシュのメッシュ開口が一致するように各メッシュを設置してもよい。
また、所定間隔Ｈ；Ｈ１は、５ｍｍ〜１０ｍｍの範囲から若干外れるように設定しても構わない。
また、上記では、各メッシュとして、目開き寸法ａが５ｍｍ以上１０ｍｍ以下のメッシュを用いた例を示したが、目開き寸法ａが５ｍｍ以上１０ｍｍ以下の範囲から若干外れるメッシュを用いても構わない。
以上のように構成した場合でも、雨滴衝突対象面の上方に複数枚のメッシュを設けたことにより、各メッシュの線に雨滴が衝突することによって、雨滴が雨滴対象面に衝突した際の雨滴衝突音を小さくできるとともに、雨滴が雨滴衝突対象面に最も近い最下位置に設置されるメッシュの上方に設置されたメッシュの線に衝突することによって、当該最下位置のメッシュのメッシュ開口に水膜が生じ難くなる、水膜が生じることによる雨滴衝突音の発生を抑制できるようになるという、本願発明の所期の効果は得られるからである。
【符号の説明】
【００２３】
１  雨滴衝突対象面、２；２Ａ  メッシュ、２ｆ  メッシュ面、２Ｘ  メッシュ群、
ａ  メッシュの目開き寸法、Ｈ；Ｈ１  所定間隔。
【図１】
2018162637.tif 000003
【図２】
2018162637.tif 000004
【図３】
2018162637.tif 000005
【図４】
2018162637.tif 000006
【図５】
2018162637.tif 000007
【図６】
2018162637.tif 000008